【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
絶縁ガラスユニット用スペーサ造形品であって、その造形品は矩形に基づく横断面を有しており、二つの平行な間隔を置いて配置される側壁であって、前記絶縁ガラスユニットを組み立てる時お互いに離れたままである為にガラス板に対し設置される側壁を備え、そして前記側壁の間に広がる第一及び第二横断壁であって、第一横断壁がガラスユニットのエッジに隣接しかつ第二横断壁がガラス板間の空間に面する横断壁を更に備えるスペーサ造形品において、前記スペーサ造形品は、バインダーのバインダーマトリックス及びバインダーマトリックスに埋め込まれた、水蒸気用の粒子状の吸着剤を含んでおり、ならびにバインダーマトリックスが水蒸気透過性である、絶縁ガラスユニット用スペーサ造形品。
【請求項２】
前記粒子状の吸着剤は、シリカゲル及び／又はアルミノシリケートからなる群から選ばれる、請求項１に記載のスペーサ造形品。
【請求項３】
前記粒子状の吸着剤は、２〜２５オングストローム単位の孔径を持った微細孔構造を有する、請求項１又は請求項２に記載のスペーサ造形品。
【請求項４】
前記粒子状の吸着剤は、２〜１０オングストローム単位の孔径を持った微細孔構造を有する、請求項３に記載のスペーサ造形品。
【請求項５】
前記粒子状の吸着剤は、粉末状でマトリックス中に埋め込まれている、請求項１〜４のいずれか一項に記載のスペーサ造形品。
【請求項６】
前記粒子状の吸着剤は、６mmまでの粒子径を有する粒子を含む、請求項１〜４のいずれか一項に記載のスペーサ造形品。
【請求項７】
前記粒子状の吸着剤は、０．１〜５mmの平均粒子径を有する粒子を含む、請求項６に記載のスペーサ造形品。
【請求項８】
前記スペーサ造形品の全物質中の前記粒子状の吸着剤の割合は、１５〜８５重量％である、請求項１〜７のいずれか一項に記載のスペーサ造形品。
【請求項９】
前記粒子状の吸着剤の割合は、３０〜６５重量％である、請求項８に記載のスペーサ造形品。
【請求項１０】
前記スペーサ造形品の全物質中の前記吸着剤の割合は、４０重量％以上である、請求項８または９に記載のスペーサ造形品。
【請求項１１】
前記吸着剤の割合は、５０重量％以上である、請求項１０に記載のスペーサ造形品。
【請求項１２】
側壁中の前記吸着剤の含有量は、前記第一及び第二横断壁の領域中より下回る、請求項１〜１１のいずれか一項に記載のスペーサ造形品。
【請求項１３】
前記スペーサ造形品は、押出し成形品及び／又は引抜き成形品である、請求項１〜１２のいずれか一項に記載のスペーサ造形品。
【請求項１４】
前記バインダーは、有機及び／又は無機系バインダー、熱可塑性材料、及びポリシリコン化合物からなる群から選ばれる、請求項１〜１３のいずれか一項に記載のスペーサ造形品。
【請求項１５】
前記バインダーは、水溶性メチルセルロースから選ばれる、請求項１４に記載のスペーサ造形品。
【請求項１６】
前記バインダーは、ポリアミド又はポリプロピレンから選ばれる、請求項１４に記載のスペーサ造形品。
【請求項１７】
充填剤及び／又は補強剤及び／又は顔料及び／又は紫外線安定剤が、バインダーマトリックス中に埋め込まれている、請求項１〜１６のいずれか一項に記載のスペーサ造形品。
【請求項１８】
前記充填剤及び／又は補強剤及び／又は顔料は、ナノ粒子、液晶ポリマー、ガラス繊維、炭素繊維、アラミド繊維、短い繊維、長い繊維及び／又は連続繊維の形態の天然繊維及び／又は金属繊維、雲母、酸化チタン（IV）、ウォラストナイト及びガラスの中空球体からなる群から選ばれる、請求項１７に記載のスペーサ造形品。
【請求項１９】
前記バインダーは、膨張せしめられている、請求項１〜１８のいずれか一項に記載のスペーサ造形品。
【請求項２０】
前記膨張バインダーは、連続気泡の膨張構造を有している、請求項１９に記載のスペーサ造形品。
【請求項２１】
前記スペーサ造形品は、前記第一横断壁に隣接する蒸気バリア層、または蒸気バリア層及び不活性ガスバリア層を備える、請求項１〜２０のいずれか一項に記載のスペーサ造形品。
【請求項２２】
前記蒸気バリア層、または前記蒸気バリア層及び前記不活性ガスバリア層は、絶縁ガラスユニットに対向しそれを支持する側壁まで伸びている、請求項２１に記載のスペーサ造形品。
【請求項２３】
前記蒸気バリア層、または前記蒸気バリア層及び前記不活性ガスバリア層は、造形された部材中に埋め込まれている、請求項２１又は請求項２２に記載のスペーサ造形品。
【請求項２４】
前記スペーサ造形品は、その造形品を強化する補強部材を含む、請求項１〜２３のいずれか一項に記載のスペーサ造形品。
【請求項２５】
前記スペーサ造形品は、金属及び／又は複合の繊維−プラスチック材のテープ、ワイヤー、アングル材、ネット、フィルム、又は繊維束から選択される、請求項２４に記載のスペーサ造形品。
【請求項２６】
前記スペーサ造形品は、中実造形品である、請求項１〜２５のいずれか一項に記載のスペーサ造形品。
【請求項２７】
前記スペーサ造形品は、長手方向に連続的に伸びる一つ以上の中空室及び／又は長手方向に連続的に伸びかつスペーサ造形品の横断面全体に分布する複数の流路を有する中空造形品である、請求項１〜２５のいずれか一項に記載のスペーサ造形品。
【請求項２８】
前記中空室は、前記第二横断壁中に規則正しい間隔で通路を有している、請求項２７に記載のスペーサ造形品。
【請求項２９】
前記スペーサ造形品は、中空室壁に囲まれる一つ以上の大容積室を含み、そして中空室壁内に分布する複数の小容積流路も備える、請求項２７に記載のスペーサ造形品。
【請求項３０】
前記スペーサ造形品は、プラスチック材又は金属材により全体的に又は部分的に覆われている、請求項１〜２９のいずれか一項に記載のスペーサ造形品。
【請求項３１】
前記スペーサ造形品の中空室に追加のバルク乾燥剤が在る、請求項２７〜３０のいずれか一項に記載のスペーサ造形品。
【請求項３２】
バインダーマトリックスは、水蒸気の透過係数が５００ｇ・μm／ｍ2・ｄ以下である材料から選ばれる、請求項１〜３１のいずれか一項に記載のスペーサ造形品。
【請求項３３】
前記バインダーマトリックスは、ポリプロピレンを最大のフラクションとして含み、そして、吸着剤の含有量は、前記スペーサ造形品の重量に基づき、１５〜４０重量％である、請求項３２に記載のスペーサ造形品。
【請求項３４】
少なくとも一つの表面は、バインダーマトリックス中に在る吸着剤の粒子が前記スペーサ造形品の表面で少なくとも部分的に露出しているように処理されている、請求項１〜３３のいずれか一項に記載のスペーサ造形品。
【請求項３５】
請求項１〜３４のいずれか一項に記載のスペーサ造形品から作られた枠部品から製造された、絶縁ガラスユニット用のスペーサ造形品枠。
【請求項３６】
前記枠部品は、エンドレスの造形された材料からある長さに切り出され、そして溶接又は接着剤を用いて枠コーナー部でお互いに接合する、請求項３５に記載のスペーサ造形品枠。
【請求項３７】
前記枠部品は、コーナージョイナーを用いて枠コーナー部で接合する、請求項３６に記載のスペーサ造形品枠。
【請求項３８】
前記コーナージョイナーは、接着剤結合、フォームフィット及び／又は摩擦ロックにより枠部品に結合する、請求項３５〜３７のいずれか一項に記載のスペーサ造形品枠。
【請求項３９】
前記枠のコーナー領域は、曲げ加工により作られ、その曲げ領域は、曲げ加工前にそして曲げ加工の間でも加熱される、請求項３５に記載のスペーサ造形品枠。
【請求項４０】
前記加熱は、放射熱、接触熱、ホットエアー、誘導熱又は抵抗熱の適用により、行われる、請求項３９に記載のスペーサ造形品枠。
【請求項４１】
枠形成スペーサ造形品の外表面は、コーナー及び／又はストレートジョイナーを収める為のガイド部材を有している、請求項３５〜４０のいずれか一項に記載のスペーサ造形品枠。
【請求項４２】
前記コーナージョイナーは、スペーサ造形品そのものと同じ材料から、射出成形、トランスファー成形、圧縮成形、又はプランジャ成形により製造される、請求項３５〜４０のいずれか一項に記載のスペーサ造形品枠。
【請求項４３】
形状付与工程を特徴とし、該工程において、水蒸気透過性のバインダー、前記バインダー及び吸着剤の重量に基づき１５〜４０重量％の量で水蒸気用の粒子状の吸着剤を含む組成物を形状付与機で造形品に形状付与することを特徴とする、請求項１〜３４のいずれか一項に記載のスペーサ造形品を作るプロセス。
【請求項４４】
前記組成物は、次の工程で完全に又は部分的に排出される加工剤を含む、請求項４３に記載のスペーサ造形品を作るプロセス。
【請求項４５】
前記組成物は、加工剤としてのワックスを含む、請求項４４に記載のスペーサ造形品を作るプロセス。
【請求項４６】
前記ワックスは、ポリエチレンワックスである、請求項４５に記載のスペーサ造形品を作るプロセス。
【請求項４７】
前記スペーサ造形品を形状付与するのに用いる全組成物中の前記加工剤の割合は、３５重量％までである、請求項４４〜請求項４６のいずれか一項に記載のスペーサ造形品を作るプロセス。
【請求項４８】
前記組成物は、前記形状付与機に入る前に予備混合又は配合される、請求項４３〜４７のいずれか一項に記載のプロセス。
【請求項４９】
形状付与工程は、押出し成形、射出成形、トランスファー成形、圧縮成形、引抜き成形、又はプランジャ成形により実施される、請求項４３〜４８のいずれか一項に記載のプロセス。
【請求項５０】
スペーサ造形品の形状付与に続いて、バインダーを架橋させる、請求項４３〜４９のいずれか一項に記載のプロセス。
【請求項５１】
該架橋させるステップは、加工剤の排出を含む、請求項５０に記載のプロセス。
【請求項５２】
該架橋させるステップは、スペーサ造形品の乾燥と組み合わされる、請求項５０に記載のプロセス。
【請求項５３】
スペーサ造形品の少なくとも一つの表面は、その造形品の表面に在るバインダーマトリックス中の吸着剤の粒子を少なくとも部分的に露出させる為に処理される、請求項４３〜５２のいずれか一項に記載のプロセス。